(57)【要約】【課題】集光型太陽光発電において、入射角度が０度からずれた場合に起こり得るセル近傍の素材の劣化を遅らせる実用性の高い構造を提供する。【解決手段】光学系基本単位である集光型太陽光発電ユニット１Ｕは、太陽光を集束させる集光部１３と、集光部１３により集束させた光を受けて発電するセル２１と、セル２１を囲む絶縁性の枠部２２ａを有し、セル２１と一体的な関係にあるパッケージ２２と、集光部１３とセル２１との間にあって、集光部１３により集束させた光を選択的に通過させる開口１５ａを有する遮蔽板１５と、光に対してセル２１を露出させ、パッケージ２２を遮蔽するように枠部２２ａ上に設けられた耐熱材であって、枠部２２ａ以外とは接触しない状態にあり、かつ、セル２１の充電部に対して所定の絶縁距離を確保する保護板２３と、を備えている。【選択図】図５
2015159184.tif 000002
【特許請求の範囲】
【請求項１】
太陽光を集束させる集光部と、
前記集光部により集束させた光を受けて発電するセルと、
前記セルを囲む絶縁性の枠部を有し、前記セルと一体的な関係にあるパッケージと、
前記集光部と前記セルとの間にあって、前記集光部により集束させた光を選択的に通過させる開口を有する遮蔽板と、
前記光に対して前記セルを露出させ、前記パッケージを遮蔽するように前記枠部上に設けられた耐熱材であって、前記枠部以外とは接触しない状態にあり、かつ、前記セルの充電部に対して所定の絶縁距離を確保する保護板と、
を備えている集光型太陽光発電ユニット。
【請求項２】
前記保護板は、前記セルを露出させる開口を有する板状部材であり、当該開口の内端面は、光の入口側より出口側の開口面積がせまくなるようなテーパ面となっている請求項１に記載の集光型太陽光発電ユニット。
【請求項３】
前記保護板は、金属又はセラミックにより構成されている請求項１又は請求項２に記載の集光型太陽光発電ユニット。
【請求項４】
前記保護板は、樹脂の表面に金属コーティングしたもの、又は、セラミックの表面に金属コーティングをしたものであり、金属コーティング層は少なくとも、光が当たる面及び前記テーパ面に形成されている請求項２に記載の集光型太陽光発電ユニット。
【請求項５】
請求項１に記載の集光型太陽光発電ユニットを、筐体に複数個並べて、相互に電気的に接続して成る集光型太陽光発電モジュール。
【請求項６】
請求項５に記載の集光型太陽光発電モジュールを複数個並べて成る集光型太陽光発電パネル。
【請求項７】
請求項６に記載の集光型太陽光発電パネルと、当該集光型太陽光発電パネルが太陽の方向を向いて太陽の動きに追尾動作するように駆動する駆動装置とを備えた集光型太陽光発電装置。
【発明の詳細な説明】
【技術分野】
【０００１】
本発明は、太陽光をセルに集めて発電する集光型太陽光発電（ＣＰＶ：Concentrator Photovoltaic）のユニット、モジュール、パネル、装置に関する。
【背景技術】
【０００２】
集光型太陽光発電の光学系基本単位を成すユニットは、フレネルレンズで構成された集光部により集束させた光スポットを、小さなセルに導いて発電する。セルとしては、耐熱性を有する発電効率の高い太陽電池が用いられる。かかる構成により、小さなセルに対して大きな光エネルギーを集中し、高効率で発電することができる。このような集光型太陽光発電ユニットがマトリックス状に多数並べられて集光型太陽光発電モジュールを成し、さらにそのモジュールがマトリックス状に多数並べられて集光型太陽光発電パネルを成す。集光型太陽光発電パネルは、当該パネルを太陽に向けて追尾動作させるための駆動装置と共に、集光型太陽光発電装置を構成する。
【０００３】
小さなセルに正確に光スポットを当てるためには、集光部を常に正確に、太陽の方向に向け、集光部の光軸と平行に、入射角度０度で太陽光を入射させる必要がある。しかし、現実には、追尾動作のずれや、部品の精度のばらつきにより、入射角度が０度ではない場合がある。また、夜間は集光型太陽光発電パネルが太陽を追尾していないため、朝一番の発電は追尾動作が遅れ、入射角度が０度ではない場合がある。
このような入射のずれ角度が生じると、発電効率が低下するとともに、セルの近傍に強い光が当たることにより、その部分の素材の劣化が早くなる。
【０００４】
そこで、僅かなずれ角度があっても光をセルに導くためのホモジナイザ（柱状光学部材）を設けることが提案されている（例えば、特許文献１（図４）参照）。また、併せて、集光部とセルとの間に遮蔽板を設けて、セルの近傍に強い光が当たることを抑制することも提案されている。
【先行技術文献】
【特許文献】
【０００５】
【特許文献１】特開２００６−３１３８０９号公報
【発明の概要】
【発明が解決しようとする課題】
【０００６】
しかしながら、ホモジナイザは高価な光学部材であり、これを多数用いることは、集光型太陽光発電装置が非常に高価なものとなる。従って、ホモジナイザではコスト面での大きな課題がある。入射角度のずれを吸収する対策は別としても、少なくとも、ずれに起因してセル近傍の劣化が早くなることは回避したい。
かかる課題に鑑み、本発明は、集光型太陽光発電において、入射角度が０度からずれた場合に起こり得るセル近傍の素材の劣化を遅らせる実用性の高い構造を提供することを目的とする。
【課題を解決するための手段】
【０００７】
本発明の集光型太陽光発電ユニットは、太陽光を集束させる集光部と、前記集光部により集束させた光を受けて発電するセルと、前記セルを囲む絶縁性の枠部を有し、前記セルと一体的な関係にあるパッケージと、前記集光部と前記セルとの間にあって、前記集光部により集束させた光を選択的に通過させる開口を有する遮蔽板と、前記光に対して前記セルを露出させ、前記パッケージを遮蔽するように前記枠部上に設けられた耐熱材であって、前記枠部以外とは接触しない状態にあり、かつ、前記セルの充電部に対して所定の絶縁距離を確保する保護板と、を備えている。
また、このような集光型太陽光発電ユニットにより、集光型太陽光発電モジュール／パネル／装置を構成することができる。
【発明の効果】
【０００８】
本発明の集光型太陽光発電ユニットによれば、入射のずれ角度が生じた場合に起こり得るセル近傍の素材の劣化を遅らせる実用性の高い構造を提供することができる。
当該ユニットを含む集光型太陽光発電モジュール／パネル／装置についても同様である。
【図面の簡単な説明】
【０００９】
【図１】集光型太陽光発電装置の一例を示す斜視図である。
【図２】駆動装置等を含めた集光型太陽光発電システムの一例を示す図である。
【図３】集光型太陽光発電モジュールの一例を拡大して示す斜視図（一部破断）である。
【図４】集光型太陽光発電モジュールの分解斜視図である。
【図５】集光型太陽光発電モジュールを構成する光学系基本単位としての、集光型太陽光発電ユニットを示す略図である。
【図６】セルを含むパッケージと、保護板とを示す斜視図であり、（ａ）は分解した状態を、（ｂ）は合体した状態を、それぞれ示している。
【図７】図５の一部を示す図である。
【図８】追尾のずれにより、光軸に対して入射角度０度からのずれ角度を伴う太陽光がフレネルレンズに入射した場合の光の進路の一例を示す図である。
【図９】さらに太陽光の入射角度のずれが大きくなった場合の一例を示す斜視図である。
【図１０】比較のために、保護板が無い場合に、入射のずれ角度［度］と、パッケージに集光される光量［％］（全光量に対する割合）との関係を示すグラフ及び光スポットのでき方を示す平面図である。
【図１１】本実施形態における、保護板がある場合の、入射のずれ角度［度］と、パッケージに集光される光量［％］との関係を示すグラフ及び光スポットのでき方を示す平面図である。
【発明を実施するための形態】
【００１０】
［実施形態の要旨］
本発明の実施形態の要旨としては、少なくとも以下のものが含まれる。
【００１１】
（１）すなわち、この集光型太陽光発電ユニットは、太陽光を集束させる集光部と、前記集光部により集束させた光を受けて発電するセルと、前記セルを囲む絶縁性の枠部を有し、前記セルと一体的な関係にあるパッケージと、前記集光部と前記セルとの間にあって、前記集光部により集束させた光を選択的に通過させる開口を有する遮蔽板と、前記光に対して前記セルを露出させ、前記パッケージを遮蔽するように前記枠部上に設けられた耐熱材であって、前記枠部以外とは接触しない状態にあり、かつ、前記セルの充電部に対して所定の絶縁距離を確保する保護板と、を備えている。
【００１２】
上記（１）のように構成された集光型太陽光発電ユニットでは、集光部に対する太陽光の入射角に、０度からのずれ角度がある場合、遮蔽板を通り抜けた光のうち、セルを外れる分は保護板に当たり、このとき、保護板は耐熱材であることにより、集束させた光の熱に十分に耐えることができる。また、保護板は、充電部から所定の絶縁距離を保ち、かつ、枠部以外とは接触しないことにより電気的に浮いた状態にあるので、充電部からの放電を防止することができる。すなわち、保護板は安定的使用に適する実用性の高い部材である。
従って、入射のずれ角度が生じた場合に起こり得るセル近傍の素材の劣化を遅らせる実用性の高い構造を提供することができる。
【００１３】
（２）また、（１）の集光型太陽光発電ユニットにおいて、前記保護板は、前記セルを露出させる開口を有する板状部材であり、当該開口の内端面は、光の入口側より出口側の開口面積がせまくなるようなテーパ面となっていることが好ましい。
このようなテーパ面は、当たった光を反射してセルに導く作用をする。従って、セルにより多くの光を集めることに寄与する。
【００１４】
（３）また、（１）又は（２）の集光型太陽光発電ユニットにおいて、前記保護板は、金属又はセラミックにより構成されていてもよい。
この場合、選択したそれぞれの利点が得られる。金属は安価で強度に優れている。セラミックは熱変形が生じにくく、沿面放電が極めて発生しにくい。
また材質にもよるが、金属やセラミックを用いることで、保護板に光が当たっても光を一定の割合で反射させることができ、保護板や保護板と接するパッケージの枠部の温度が上昇するのを抑制することもできる。
【００１５】
（４）また、（２）の集光型太陽光発電ユニットにおいて、前記保護板は、樹脂の表面に金属コーティングしたもの、又は、セラミックの表面に金属コーティングをしたものであり、金属コーティング層は少なくとも、光が当たる面及び前記テーパ面に形成されている、という構成であってもよい。
この場合、金属コーティングした樹脂は、安価で軽量である。また、金属コーティングした樹脂及び金属コーティングしたセラミックは共に、当たった光を金属コーティング層で反射する。特に、テーパ面にも金属コーティング層が形成されていることにより、テーパ面は、当たった光を反射してセルに導くことができる。
【００１６】
（５）また、集光型太陽光発電モジュールは、（１）の集光型太陽光発電ユニットを、筐体に複数個並べて、相互に電気的に接続して成る。
（６）また、集光型太陽光発電パネルは、（５）の集光型太陽光発電モジュールを複数個並べて成る。
（７）また、集光型太陽光発電装置としては、（６）の集光型太陽光発電パネルと、当該集光型太陽光発電パネルが太陽の方向を向いて太陽の動きに追尾動作するように駆動する駆動装置とを備えたものである。
【００１７】
［実施形態の詳細］
以下、本発明の実施形態の詳細について、図面を参照して説明する。
【００１８】
《集光型太陽光発電装置／集光型太陽光発電パネル》
まず、集光型太陽光発電装置の構成から説明する。
図１は、集光型太陽光発電装置の一例を示す斜視図である。図において、集光型太陽光発電装置１００は、集光型太陽光発電パネル１と、これを背面側で支持する支柱３ａ及びその基礎３ｂを備える架台３とを備えている。集光型太陽光発電パネル１は、多数の集光型太陽光発電モジュール１Ｍを縦横に集合させて成る。この例では、中央部を除く、６２個（縦７×横９−１）の集光型太陽光発電モジュール１Ｍが縦横に集合している。１個の集光型太陽光発電モジュール１Ｍの定格出力が例えば約１００Ｗであるとすると、集光型太陽光発電パネル１全体としては、約６ｋＷの定格出力となる。
【００１９】
集光型太陽光発電パネル１の背面側には、駆動装置（図示せず）が設けられており、この駆動装置を動作させることにより、集光型太陽光発電パネル１を方位角及び仰角の２軸に駆動することができる。これにより、集光型太陽光発電パネル１は、常に、方位角及び仰角の双方において太陽の方向へ向くよう駆動される。また、集光型太陽光発電パネル１のいずれかの場所（この例では中央部）又は当該パネル１の近傍には追尾センサ４及び直達日射計５が設けられている。太陽の追尾動作は、追尾センサ４と、設置場所の緯度、経度、時刻から算出される太陽の位置とを頼りにして行われる。
【００２０】
すなわち、上記の駆動装置は、太陽が所定角度動くごとに、その所定角度だけ集光型太陽光発電パネル１を駆動する。所定角度動いたという事象は、追尾センサ４によって判定してもよいし、緯度・経度・時刻によって判定することもできる。従って、追尾センサ４は省略される場合もある。所定角度とは、例えば一定値であるが、太陽の高度や時刻によって値を変えることも可能である。
【００２１】
図２は、上記駆動装置等を含めた集光型太陽光発電システムの一例を示す図である。なお、これは、追尾動作制御の観点から見た図である。図２において、集光型太陽光発電装置１００は、前述のように、例えば背面側に太陽の追尾動作のための駆動装置２００を備えている。駆動装置２００は、仰角方向への駆動用のステッピングモータ２０１ｅ、方位角方向への駆動用のステッピングモータ２０１ａと、これらを駆動する駆動回路２０２とを備えている。なお、ステッピングモータは一例に過ぎず、他の動力源でもよい。
【００２２】
直達日射計５の出力信号（直達日射強度）は、駆動回路２０２及び制御装置４００に入力される。また、集光型太陽光発電パネル１の発電電力は、電力計３００で検知することができ、制御装置４００には検知した電力を示す信号が入力される。駆動装置２００は、集光型太陽光発電パネル１の設置場所の緯度、経度を記憶し、また、時計機能を有している。駆動装置２００は、追尾センサ４の出力信号と、緯度・経度・時刻から演算される太陽の位置とに基づいて、集光型太陽光発電パネル１が常に太陽に向くよう、追尾動作を行う。但し、前述のように、追尾センサ４は設けない場合もある。その場合には、緯度・経度・時刻から演算される太陽の位置にのみ基づいて追尾動作が行われる。
【００２３】
《集光型太陽光発電モジュール》
図３は、集光型太陽光発電モジュール（以下、単にモジュールとも言う。）１Ｍの一例を拡大して示す斜視図（一部破断）である（但し、後述の遮蔽板の図示を省略している。）。図において、モジュール１Ｍは、平底の底面１１ａを有するバット状の筐体１１と、底面１１ａに接して設けられたフレキシブルプリント配線板１２と、筐体１１の鍔部１１ｂに、蓋のように取り付けられた集光部１３とを、主要な構成要素として備えている。筐体１１は、金属製である。
【００２４】
フレキシブルプリント配線板１２は、細長いフレキシブルプリント基板２０にパターンを設け、セル２１その他の電子部品を実装したものである。セル２１としては、耐熱性を有する発電効率の高い太陽電池が用いられる。
なお、フレキシブルプリント基板を用いるのは一例であり、他の種類の基板を用いることもできる。例えば、平板状（長方形等）の樹脂基板やセラミック基板を多数用いる構成でもよい。
【００２５】
集光部１３は、フレネルレンズアレイであり、太陽光を集光するフレネルレンズ１３ｆがマトリックス状に複数個（例えば縦１６×横１２で、１９２個）並んで形成されている。このような集光部１３は、例えば、ガラス板を基材として、その裏面（内側）にシリコーン樹脂膜を形成したものとすることができる。フレネルレンズ１３ｆは、この樹脂膜に形成される。フレネルレンズ１３ｆの総数及び配置は、セル２１の総数及び配置と同じであり、互いに光軸を一致させるように、一対一に対応している。筐体１１の外面には、モジュール１Ｍの出力を取り出すためのコネクタ１４が設けられている。
【００２６】
図４は、モジュール１Ｍの分解斜視図である。図３では図示を省略したが、集光部１３とセル２１との間には、金属製（例えばアルミニウム合金）の遮蔽板１５が設けられ、筐体１１に支持されている。遮蔽板１５には、フレネルレンズ１３ｆやセル２１と同数かつ同一配置の開口１５ａが形成されている。フレネルレンズ１３ｆで集束させた光は、開口１５ａを通ってセル２１に到達する。遮蔽板１５は、集束する光を通過させるとともに、集束する光のまわりの弱い周辺光やモジュール１Ｍ内部での乱反射の影響が、セル２１に及ばないようにする機能を有する。
【００２７】
《集光型太陽光発電ユニット》
次に、図５は、上記のモジュール１Ｍを構成する光学系基本単位としての、集光型太陽光発電ユニット（以下、単にユニットとも言う。）１Ｕを示す略図である。なお、図示している各部の寸法や相互の間隔は必ずしも実物に比例していない。ユニット１Ｕにおいては、集光部１３のフレネルレンズ１３ｆで集光した太陽光が、遮蔽板１５の開口１５ａを通り抜け、セル２１上に光スポットを形成する。これにより、セル２１は、発電を行う。セル２１は、半導体材料によって構成され、光エネルギーを電気エネルギーに変換するため、その発熱は抑制される。また、パッケージ２２や、底面１１ａへの熱伝導によって、セル２１の発熱が抑制される。
【００２８】
図５において、一番下に描いているのは、筐体１１（図３）の底面１１ａである。この底面１１ａ上に、フレキシブルプリント基板２０が設けられている。フレキシブルプリント基板２０は、絶縁基材２０ｂと、その上に形成された導電体のパターン２０ａとを備えている。セル２１は、出力端子であるリードフレーム２１ａを有しており、このリードフレーム２１ａが、パターン２０ａの所定部位に、電気的に接続されている。
【００２９】
セル２１は、絶縁材料である樹脂によって形成されたパッケージ２２と、相互に一体的な関係にある。パッケージ２２は、セル２１を保持している底部２２ｂと、セルを囲む枠部２２ａとにより構成されている。この枠部２２ａ上に、保護板２３が設けられている。保護板２３は、正方形の開口２３ａを有している。保護板２３は、遮蔽板１５の開口１５ａから入ってくる光に対してセル２１を露出させ（開口２３ａ）、パッケージ２２を遮蔽するように枠部２２ａ上に設けられている。
【００３０】
保護板２３は、枠部２２ａ以外とは接触しない状態にあり、かつ、セル２１の充電部（リードフレーム２１ａ等）に対して所定の絶縁距離を確保する。所定の絶縁距離とは、充電部の最高電圧に対して、放電（コロナ放電や沿面放電）を生じない距離である。なお、多数のセル２１が直列に接続されることにより、充電部の対地電圧は例えば最大１０００Ｖに達する。絶縁距離は、枠部２２ａの高さに依存する。保護板２３は、充電部から所定の絶縁距離を保ち、かつ、枠部以外とは接触しないことにより電気的に浮いた状態にあるので、充電部からの放電を防止することができる。このように、保護板２３は、放電を防止する点で、安定的使用に適する実用性の高い部材である。
【００３１】
図６は、セル２１を含むパッケージ２２と、保護板２３とを示す斜視図であり、（ａ）は分解した状態を、（ｂ）は合体した状態を、それぞれ示している。（ａ）に示すように、パッケージ２２の枠部２２ａの上面２箇所には、孔２２ｃが形成されている。また、この孔２２ｃに対向する保護板２３には突起２３ｃが形成されている。突起２３ｃを孔２２ｃに入れることで位置決めしつつ、互いに接着することにより、容易かつ正確に、パッケージ２２に対して保護板２３を取り付けることができる。
【００３２】
図７は、図５の一部を示す図である。保護板２３の開口２３ａは、光の入口側の寸法ｄ１よりも、出口側の寸法ｄ２の方が小さい。すなわち、開口２３ａの内端面は、光の入口側より出口側の開口面積がせまくなるようなテーパ面２３ｔとなっている。セル２１の有効受光面も正方形であり、その一辺の寸法は、上記の寸法ｄ２とほぼ同じである。遮蔽板１５の開口１５ａは、テーパ面２３ｔの斜面の延長線が遮蔽板１５と交差する位置より内側にある。この関係は、開口１５ａを通り抜けた光が、セル２１以外に当たるような光の回り込みを防止することに寄与する。
【００３３】
なお、入射角度０度で入射し、フレネルレンズ１３ｆで集束する光のみを通過させるように、遮蔽板１５の開口１５ａを狭くすることも考えられる。しかしながら、そうすると、僅かなずれ角度が生じただけでも光エネルギーの損失を招くので、好ましくない。すなわち、僅かなずれ角度を伴う程度の光は、通過させることが好ましい。
【００３４】
保護板２３の材料としては、アルミニウム合金等の金属を使用することができる。かかる金属は集光した光に対して十分な耐熱性がある。また、金属は安価で強度に優れている。しかも、前述のように、絶縁距離を確保し、電気的には浮いている状態で支持されるので、放電を防止することができる。
【００３５】
図５に戻り、フレネルレンズ１３ｆの光軸Ａは、開口１５ａ及び開口２３ａのそれぞれの中心を通り、セル２１の中心と交わる。太陽に対する追尾が正確に行われているときは、フレネルレンズ１３ｆの光軸Ａと平行な太陽光が入射し、例えば二点鎖線で示すように集束する光がセル２１に到達する。なお、点線で示すように、一旦焦点で集束しきった光を少し拡散させた光スポットをセル２１に到達させることもできる。
【００３６】
図８は、追尾のずれにより、光軸Ａに対して、入射角度０度からのずれ角度を伴う太陽光がフレネルレンズ１３ｆに入射した場合の光の進路の一例を示す図である。このとき、開口２３ａの内端面であるテーパ面２３ｔは、当たった光を反射してセル２１に導く作用をする。従って、テーパ面２３ｔは、セル２１に、より多くの光を集めることに寄与する。
【００３７】
なお、上記の説明では保護板２３は金属製であるとしたが、セラミックにより構成されていてもよい。この場合、セラミックの保護板２３は、熱変形が生じにくく、沿面放電が極めて発生しにくい。
また材質にもよるが、金属やセラミックを用いることで、保護板２３に光が当たっても光を一定の割合で反射させることができ、保護板２３や、保護板２３と接するパッケージ２２の枠部２２ａの温度が上昇するのを抑制することもできる。
【００３８】
また、保護板２３は、樹脂の表面に金属コーティング（アルミニウム又は銀の薄膜コーティング）したもの、又は、セラミックの表面に金属コーティングをしたものであり、金属コーティング層は少なくとも、光が当たる面（上面）及びテーパ面２３ｔに形成されている、という構成であってもよい。この場合、金属コーティングした樹脂は、安価で軽量である。また、金属コーティングした樹脂及び金属コーティングしたセラミックは共に、当たった光を金属コーティング層で反射する。特に、テーパ面２３ｔにも金属コーティング層が形成されていることにより、テーパ面２３ｔは、当たった光を反射してセル２１に導くことができる。
なお、保護板２３の材料としてはさらに、遮光性を有する耐熱ガラスの使用も可能である。
【００３９】
図９は、さらに太陽光の入射角度のずれが大きくなった場合の一例を示す斜視図である。この場合、集束する光は、遮蔽板１５の開口１５ａを通り抜けるが、保護板２３の開口２３ａには収まらず、光スポットの一部が保護板２３に当たる。
【００４０】
図１０は、比較のために、保護板２３が無い場合に、入射のずれ角度［度］と、パッケージ２２に集光される光量［％］（全光量に対する割合）との関係を示すグラフ及び光スポットＳのでき方を示す平面図である。
この場合、ずれ角度１〜１．５度の間で、光量が最大となり、約６０％にも達する。このとき、光スポットＳはパッケージの底部２２ｂから枠部２２ａにかけて当たり、パッケージ２２の劣化を招く。
【００４１】
図１１は、本実施形態における、保護板２３がある場合の、入射のずれ角度［度］と、パッケージ２２に集光される光量［％］との関係を示すグラフ及び光スポットＳのでき方を示す平面図である。
この場合、角度ずれ２〜３度の間に低いピークがあるが、５％以下であり、パッケージ２２の劣化は抑制される。これは、保護板２３に光スポットＳが当たるため、パッケージ２２には僅かに洩れてくる弱い光が当たるだけとなるからである。
【００４２】
以上のように、上記構成の集光型太陽光発電ユニット１Ｕでは、集光部１３に対する太陽光の入射角に、０度からのずれ角度がある場合、遮蔽板１５を通り抜けた光のうち、セル２１を外れる分は保護板２３に当たり、保護板２３は耐熱材であることにより、集束させた光の熱に十分に耐えることができる。また、保護板２３は、充電部から所定の絶縁距離を保ち、かつ、枠部以外とは接触しないことにより電気的に浮いた状態にあるので、充電部からの放電を防止することができる。すなわち、保護板２３は安定的使用に適する実用性の高い部材である。
こうして、入射のずれ角度が生じた場合に起こり得るセル２１近傍の素材の劣化を遅らせる実用性の高い構造を提供することができる。
【００４３】
なお、上記のような集光型太陽光発電ユニット１Ｕによって構成される、集光型太陽光発電モジュール１Ｍ、当該モジュールの集合体である集光型太陽光発電パネル１、さらには、このような集光型太陽光発電パネル１と、当該集光型太陽光発電パネル１が太陽の方向を向いて太陽の動きに追尾動作するように駆動する駆動装置２００とを備えた集光型太陽光発電装置１００は、入射角度が０度からずれた場合に起こり得るセル近傍の素材の劣化を遅らせる実用性の高い構造となる。
【００４４】
《その他》
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００４５】
１  集光型太陽光発電パネル
１Ｍ  集光型太陽光発電モジュール
１Ｕ  集光型太陽光発電ユニット
３  架台
３ａ  支柱
３ｂ  基礎
４  追尾センサ
５  直達日射計
１１  筐体
１１ａ  底面
１１ｂ  鍔部
１２  フレキシブルプリント配線板
１３  集光部
１３ｆ  フレネルレンズ
１４  コネクタ
１５  遮蔽板
１５ａ  開口
２０  フレキシブルプリント基板
２０ａ  パターン
２０ｂ  絶縁基材
２１  セル
２１ａ  リードフレーム
２２  パッケージ
２２ａ  枠部
２２ｂ  底部
２２ｃ  孔
２３  保護板
２３ａ  開口
２３ｃ  突起
２３ｔ  テーパ面
１００  集光型太陽光発電装置
２００  駆動装置
２０１ａ  ステッピングモータ
２０１ｅ  ステッピングモータ
２０２  駆動回路
３００  電力計
４００  制御装置
Ａ  光軸
Ｓ  光スポット
【図１】
2015159184.tif 000003
【図２】
2015159184.tif 000004
【図３】
2015159184.tif 000005
【図４】
2015159184.tif 000006
【図５】
2015159184.tif 000007
【図６】
2015159184.tif 000008
【図７】
2015159184.tif 000009
【図８】
2015159184.tif 000010
【図９】
2015159184.tif 000011
【図１０】
2015159184.tif 000012
【図１１】
2015159184.tif 000013